(57)【要約】【課題】複数個のリング体が多段となって保持されている場合においても、必要なリング体のみを取り出すことができ、また作業者がリング体を取り出したり、リング体を保持したりするのも簡単に素早く行えるリング体保持具を提供する。【解決手段】枠体１にリング体２の出入口３を設け、この出入口３の端部近辺を弾性変形可能部４とし、リング体２をこの出入口３から出し入れ自在として、枠体１に複数のリング体２を保持できるようにしている。前記枠体１には装着部５を設けたものとすることができる。【選択図】図１
2008068387.tif 000002
【特許請求の範囲】
【請求項１】
枠体（１）にリング体（２）の出入口（３）を設け、この出入口（３）の端部近辺を弾性変形可能部（４）とし、リング体（２）をこの出入口（３）から出し入れ自在として、枠体（１）に複数のリング体（２）を保持できるようにしたことを特徴とするリング体保持具。
【請求項２】
前記枠体（１）に装着部（５）を設けたことを特徴とする請求項１記載のリング体保持具。
【請求項３】
前記装着部（５）を枠体（１）の長辺部（１ａ）に設けたことを特徴とする請求項２記載のリング体保持具。
【請求項４】
前記装着部（５）を枠体（１）の短辺部（１ｂ）に設けたことを特徴とする請求項２記載のリング体保持具。
【請求項５】
前記リング体（２）を色付のビニールテープとしたことを特徴とする請求項１記載のリング体保持具。
【請求項６】
前記出入口（３）を、枠体（１）の長辺部（１ａ）の略中央辺りに設け、この長辺部（１ａ）の略中央辺りにまで複数のリング体（２）を保持させたことを特徴とする請求項１記載のリング体保持具。
【発明の詳細な説明】
【技術分野】
【０００１】
この発明は、電気工事等に使用するビニールテープ類のようなリング体を保持して、作業者が腰等に取り付けておくことのできるリング体保持具に関するものである。
【背景技術】
【０００２】
従来、この種のリング体保持具は、例えば図１３に示されるように、吊下部１１と、この吊下部１１の一端部に設けられ、リング体１２の中央空間１２ａの最大内寸法よりも大きく形成されて、リング体１２の下面に当接して、このリング体１２を保持する保持部１３を備えたものとしている。そして、前記保持部１３は、リング体１２をこの保持部１３から引抜き可能とすべく、前記リング体１２を引くことにより前記中央空間１２ａの最大内寸法よりも小さく弾性変形し得るように形成されたものとしている（特許文献１）。
【０００３】
このように構成された従来のリング体保持具では、保持部１３に保持されているリング体１２を取り外すには、図１４に示された状態から、リング体１２を引き抜くと、リング体１２の下面に当接していた保持部１３は、リング体１２の引き抜き力によって、その長さがリング体１２の中央空間１２ａの最大内寸法と同等になるまで弾性変形させられる。そして、保持部１３の両端部は、図１５に示されるように、リング体１２の中央空間１２ａの内周面に弾接した状態となって、保持部１３からリング体１２が引き抜かれるとしている。また、引き抜き後においては、弾性変形していた前記保持部１３は、図１６に示されるように、原形状に復元するとしている。
【０００４】
よって、この従来のリング体保持具は、片方の手でリング体１２を引き抜くことができると共に複数個のリング体１２が多段となって保持されている場合においても、その下段のものから一個ずつ順次引き抜くことができるとしている。
【特許文献１】特開２００４−９２６４号公報（第３頁、図１、３）
【発明の開示】
【発明が解決しようとする課題】
【０００５】
しかしながら、従来のリング体保持具は、上記したように複数個のリング体１２が多段となって保持部１３に保持されている場合においては、その下段のものから一個ずつ順次引き抜かなければならないため、その下段のものより上段のものを引き抜きたい場合にも、不要なその下段のものまで引き抜かなければならない。
【０００６】
例えば、複数個のリング体１２を電気工事等に使用する色付きのビニールテープとした場合には、用途や工事現場の色合い等に応じた各種の色のものを保持部１３に保持させておくのが通常である。しかし、電気工事等において、常に最下段のものを使用するとは限らず、場合によっては最上段のものを使用こともある。このような場合には、最上段のビニールテープ以外のビニールテープもすべて保持部１３から引き抜かなければならず、非常に不便であるという問題点を有していた。
【０００７】
さらに、従来のリング体保持具は、上記したように保持部１３からリング体１２を取り出すのは簡単であるが、保持部１３にリング体１２を保持するのは困難であるという問題点を有していた。
【０００８】
すなわち、保持部１３からリング体１２を取り出すには、リング体１２を掴んで手元に引けば、図１５に示されるように保持部１３が容易に弾性変形するので、そのまま引き抜くことができるが、保持部１３にリング体１２を保持するには、保持部１３を手で掴んで図１５に示される状態まで保持部１３を無理に弾性変形させてからでないと、この保持部１３にリング体１２を差し込むことができないからである。
【０００９】
そこで、この発明は、上記従来の問題点を解決するものであり、複数個のリング体が多段となって保持されている場合においても、必要なリング体のみを取り出すことができ、また作業者がリング体を取り出したり、リング体を保持したりするのも簡単に素早く行えるリング体保持具を提供することを目的としてなされたものである。
【課題を解決するための手段】
【００１０】
そのため、この発明のリング体保持具は、枠体１にリング体２の出入口３を設け、この出入口３の端部近辺を弾性変形可能部４とし、リング体２をこの出入口３から出し入れ自在として、枠体１に複数のリング体２を保持できるようにしている。
【００１１】
さらに、この発明のリング体保持具は、前記枠体１に装着部５を設けたものとすることができる。
【００１２】
また、この発明のリング体保持具は、前記装着部５を枠体１の長辺部１ａに設けたものとすることができる。
【００１３】
さらに、この発明のリング体保持具は、前記装着部５を枠体１の短辺部１ｂに設けたものとすることができる。
【００１４】
また、この発明のリング体保持具は、前記リング体２を色付のビニールテープとすることができる
さらに、この発明のリング体保持具は、前記出入口３を、枠体１の長辺部１ａの略中央辺りに設け、この長辺部１ａの略中央辺りにまで複数のリング体２を保持させたものとすることができる。
【発明の効果】
【００１５】
この発明のリング体保持具は、以上に述べたように構成されているので、複数個のリング体が多段となって保持されている場合においても、必要なリング体のみを取り出すことができて非常に便利であり、また作業者がリング体を取り出したり、リング体を保持したりするのも簡単に素早く行えるものとなった。
【発明を実施するための最良の形態】
【００１６】
以下、この発明のリング体保持具の実施の形態を、図面に基づいて詳細に説明する。
【００１７】
この発明のリング体保持具は、図１〜５に示したように、枠体１にリング体２の出入口３を設け、この出入口３の端部近辺を弾性変形可能部４とし、リング体２をこの出入口３から出し入れ自在として、リング体２の中央空間２ａを枠体１に差し込んで、この枠体１に複数のリング体２を保持できるようにしている。
【００１８】
前記枠体１は、金属や合成樹脂の棒材や板材等の長尺体からなり、図示したものでは、この長尺体を折り曲げて縦長の略長円形にしたり、縦長の略四角形にしたり、縦長の略四角形の底辺を半円状に曲げた形状などとしており、勿論、複数のリング体２を保持することができる大きさにしているが、形状は特に限定されるものではない。このような形状にすれば、使用者の腰等に装着した場合に、縦長方向に安定した状態で装着することができる。また、縦長の部分が垂直または略垂直状態となるので、この縦長の部分に複数のリング体２を積み重ねるようにして保持することができるものとなる。
【００１９】
さらに、前記枠体１には、作業者の腰ベルトや、作業者が腰ベルトに装着する道具入れ等への装着部５を設けたものとしている。この装着部５は、図２に示したものでは、枠体１を形成する棒材を枠体１の長辺部１ａと平行するように延設したものとし、枠体１の長辺部１ａとの間に前記腰ベルトや道具入れを挟み込めるようにしている。さらに、装着部５は、図３に示したものでは、枠体１の短辺部１ｂに鎖や紐で接続した係止具Ｃを設けたものとしており、この係止具Ｃで前記腰ベルトや道具入れに係止できるようにしている。また、装着部５は、図４に示したものでは、枠体１の短辺部１ｂに掛けベルトＢを取り付けたものとしており、この掛けベルトＢで前記腰ベルトや道具入れに引っ掛けることができるようにしている。さらに、装着部５は、図５に示したものでは、金属や合成樹脂からなる弾性板を二つ折りにしてクリップ状とし、枠体１の長辺部１ａに設けたものとしている。なお、前記装着部５は、これらに限定されることなく、また枠体１の角部１ｃに設けたものとしてもよい。
【００２０】
前記リング体２は、電気工事等に使用される色付のビニールテープとすることができるが、これに限定されるものではない。ビニールテープとしては、リング状の巻芯の外周に長尺状のテープが巻回されたものとしており、テープは各種の色が付されたものとしている。なお、前記リング体２をビニールテープとした場合、その中央空間２ａとは、巻芯の孔部となる。
【００２１】
前記出入口３は、枠体１の任意の部分に設けたものとすることができるが、装着部５を設けた長辺部１ａに対向する長辺部１ａの略中央辺りに設けたものとするのが好ましい。このような部分に出入口３を設けたものとすると、この発明のリング体保持具を装着部５によって作業者の腰ベルト等へ取り付けた場合、出入口３が作業者の身体の外側に向くので、リング体２の出し入れが行い易いものとなる。さらに、前記出入口３の幅は、リング体１の一個の厚みＷより狭くしている。このようにすれば、枠体１に保持されたリング体１が、出入口３から自然に抜け落ちてしまうようなことはない。
【００２２】
前記弾性変形可能部４は、前記図１〜６に示したようなコイルばね４ａとしたり、図７に示したような板ばね４ｂとしたり、図８に示したような弾性樹脂からなる棒状体４ｃとしたり、図９に示したようなステンレスワイヤからなるループ体４ｄとしたりすることができ、枠体１に一体または別体として連結したものとしている。
【００２３】
以上のように構成したこの発明のリング体保持具は、例えば次のようにして使用することができる。
【００２４】
先ず、各種の色が付されたビニールテープ２Ａ、２Ｂ、２Ｃ、２Ｄを、出入口３から順に差し込み、各テープの中央空間２ａを枠体１内に挿入していく。この場合、図１０に示したように、各テープを横にして弾性変形可能部４に押し当てていけば、この弾性変形可能部４が枠体１の内側に曲げられて、出入口３が広がり、各テープの中央空間２ａを枠体１内に挿入していくことができる。そして、図１１に示したように、前記枠体１内に挿入した各テープを、枠体１の長辺部１ａに積み重ねるようにして、この枠体１に保持させる。
【００２５】
次に、このようにして前記各テープが保持されたリング体保持具を、装着部５によって作業者の腰ベルト等に取り付ける。
【００２６】
そこで、作業者は、電気工事等の作業中に前記リング体保持具から、その用途や工事現場の色合い等に応じたものを取り出すが、例えばこの場合に取り出そうとするのがビニールテープ２Ｄであれば、このビニールテープ２Ｄをのみを枠体１内で持ち上げて出入口３に近づけ、この出入口３から引き出すようにすれば、弾性変形可能部４が枠体１の外側に曲げられて、出入口３が広がり、そのビニールテープ２Ｄを取り出すことができる。
【００２７】
また、取り出そうとするのがビニールテープ２Ｂであれば、図１２に示したように、このビニールテープ２Ｂとビニールテープ２Ｃ、２Ｄを枠体１内で一緒に持ち上げて、ビニールテープ２Ｂを出入口３に近づけ、このビニールテープ２Ｂを出入口３から引き出すようにすれば、弾性変形可能部４が枠体１の外側に曲げられて、出入口３が広がり、そのビニールテープ２Ｂを取り出すことができる。
【００２８】
なお、取り出そうとするのがビニールテープ２Ａや２Ｃである場合にも、前記ビニールテープ２Ｂと同様、上に積み重ねられているビニールテープを枠体１内で一緒に持ち上げて、取り出すビニールテープを出入口３に近づけ、このビニールテープを出入口３から引き出すようにすれば、弾性変形可能部４が枠体１の外側に曲げられて、出入口３が広がり、そのビニールテープを取り出すことができる。
【００２９】
したがって、この発明のリング体保持具では、このようにビニールテープ２Ａ、２Ｂ、２Ｃ、２Ｄが枠体１の長辺部１ａに積み重ねるようにして、この枠体１に保持されている場合に、不必要なビニールテープを取り出さなくても、必要なビニールテープのみを取り出すことができるものとなる。
【００３０】
さらに、この発明のリング体保持具では、前記したようにリング体２を出入口３に近づけ、弾性変形可能部４に当たるようにして手前に引けば、この弾性変形可能部４が枠体１の外側に曲げられて、出入口３が広がり、リング体２を引き抜くことができるので、作業者がリング体２を簡単に素早く取り出すことができるものとなる。
【００３１】
また、この発明のリング体保持具では、図１０に示したように、リング体２を横にして弾性変形可能部４に押し当てれば、この弾性変形可能部４が枠体１の内側に曲げられて、出入口３が広がり、リング体２を差し込むことができるので、作業者がリング体を簡単に素早く保持することができるものとなる。
【図面の簡単な説明】
【００３２】
【図１】この発明のリング体保持具の一実施形態を示す斜視図である。
【図２】この発明のリング体保持具の他の実施形態を示す斜視図である。
【図３】この発明のリング体保持具のさらに他の実施形態を示す斜視図である。
【図４】この発明のリング体保持具のさらに他の実施形態を示す斜視図である。
【図５】この発明のリング体保持具のさらに他の実施形態を示す斜視図である。
【図６】図５に示すこの発明のリング体保持具の側面図である。
【図７】この発明のリング体保持具の他の実施形態を示す斜視図である。
【図８】この発明のリング体保持具のさらに他の実施形態を示す斜視図である。
【図９】この発明のリング体保持具のさらに他の実施形態を示す斜視図である。
【図１０】この発明のリング体保持具にリング体を保持させる場合に、弾性変形可能部が変形する状態を示す説明図である。
【図１１】この発明のリング体保持具にリング体を保持させた状態を示す側面図である。
【図１２】この発明のリング体保持具からリング体を取り出す状態を示す側面図である。
【図１３】従来のリング体保持具の一例を示す斜視図である。
【図１４】従来のリング体保持具のテープの保持状態を示す説明図である。
【図１５】従来のリング体保持具のテープの引き抜き途中の状態を示す説明図である。
【図１６】従来のリング体保持具のテープの引き抜き後の状態を示す説明図である。
【符号の説明】
【００３３】
１  枠体
１ａ  長辺部
１ｂ  短辺部
２  リング体
３  出入口
４  弾性変形可能部
５  装着部
【図１】
2008068387.tif 000003
【図２】
2008068387.tif 000004
【図３】
2008068387.tif 000005
【図４】
2008068387.tif 000006
【図５】
2008068387.tif 000007
【図６】
2008068387.tif 000008
【図７】
2008068387.tif 000009
【図８】
2008068387.tif 000010
【図９】
2008068387.tif 000011
【図１０】
2008068387.tif 000012
【図１１】
2008068387.tif 000013
【図１２】
2008068387.tif 000014
【図１３】
2008068387.tif 000015
【図１４】
2008068387.tif 000016
【図１５】
2008068387.tif 000017
【図１６】
2008068387.tif 000018